(57)【特許請求の範囲】
【請求項１】
圧縮機及び室外熱交換器を有する室外ユニットと、室内熱交換器を有する少なくとも１台の室内ユニット及びショーケース熱交換器を有する少なくとも１台のショーケースとがユニット間配管により接続され、前記室外熱交換器の一端が、圧縮機の冷媒吐出管と冷媒吸込管とに択一に分岐して接続され、前記ユニット間配管が、前記冷媒吐出管に接続された高圧ガス管と、前記冷媒吸込管に接続された低圧ガス管と、前記室外熱交換器の他端に接続された液管とを有して構成され、前記室内熱交換器及び前記ショーケース熱交換器の一端が前記高圧ガス管及び前記低圧ガス管に、他端が前記液管にそれぞれ接続され、
前記室内ユニットを冷房運転若しくは暖房運転させる第１制御手段と、前記ショーケースをクールケース若しくはホットケースとして運転させる第２制御手段とを備え、
前記第１制御手段が前記室内ユニットに冷房運転を行わせて前記第２制御手段が前記ショーケースユニットをホットケースとして運転させる混在運転、及び、前記第１制御手段が前記室内ユニットに暖房運転を行わせて前記第２制御手段が前記ショーケースユニットをクールケースとして運転させる混在運転を実行可能であって、
前記第１制御手段は、前記室内熱交換器に接続された前記高圧ガス管及び前記低圧ガス管を開閉する弁を開閉させる制御を行い、前記室内ユニットに冷房運転を行わせる場合は前記低圧ガス管の弁を開いて前記高圧ガス管の弁を閉じ、前記室内ユニットに暖房運転を行わせる場合は前記高圧ガス管の弁を開いて前記低圧ガス管の弁を閉じる制御を行い、
前記第２制御手段は、前記第１制御手段による弁の開閉の制御とは独立して、前記ショーケース熱交換器に接続された前記高圧ガス管及び前記低圧ガス管を開閉する弁を開閉させる制御を行うものであって、前記ショーケースをクールケースとして運転させる場合は前記低圧ガス管の弁を開いて前記高圧ガス管の弁を閉じ、前記ショーケースをホットケースとして運転させる場合は前記高圧ガス管の弁を開いて前記低圧ガス管の弁を閉じる制御を行うこと、
を特徴とする冷凍システム。
【請求項２】
前記ショーケースの運転を停止させ、前記第２制御手段により前記ショーケースをクールケース若しくはホットケースとして運転させる制御を行わない状態を実行可能であることを特徴とする請求項１記載の冷凍システム
【請求項３】
前記室内ユニットの負荷と、前記ショーケースの負荷とに応じて前記室外熱交換器を凝縮器若しくは蒸発器として機能させる、又は、前記室外熱交換器を機能させないようにする第３制御手段を備えたことを特徴とする請求項１または２記載の冷凍システム。
【請求項４】
前記圧縮機がエンジンで駆動されることを特徴とする請求項１ないし３のいずれか１項に記載の冷凍システム。
【発明の詳細な説明】
【０００１】
【発明の属する技術分野】
本発明は室外ユニットと室内ユニット及びショーケースとがユニット間配管により接続される冷凍システムに関する。
【０００２】
【従来の技術】
複数台の室内ユニットを同時に冷房運転若しくは暖房運転可能とし、又は、これらの暖房運転と冷房運転を混在して実施可能とする空気調和装置は、例えば特許２８０４５２７号公報などに掲載されている。
【０００３】
このような空気調和装置では、圧縮機及び室外熱交換器を備えた室外ユニットと、室内熱交換器を備えた複数の室内ユニットとがユニット間配管により接続されている。そして、上記室外熱交換器の一端が、圧縮機の冷媒吐出管と冷媒吸込管とに択一に分岐して接続され、ユニット間配管が、上記冷媒吐出管に接続された高圧ガス管と、上記冷媒吸込管に接続された低圧ガス管と、上記室外熱交換の他端に接続された液管とを有して構成されている。
【０００４】
また、蒸発器（冷却器）として機能するショーケース熱交換器を備え、クールケースとして運転させるショーケースが知られている。このショーケースには、空気調和装置とは別に、圧縮機及び室外熱交換器を備えた室外ユニットが接続されており、蒸発器として機能するショーケース熱交換器により吸熱されることによりショーケース内が冷却され、室外熱交換器により外気に放熱される。
【０００５】
これら空気調和装置とショーケースとは、例えば、スーパーマーケットやコンビニエンスストア等で使用されており、それぞれ別システムとして稼働している。
【０００６】
【発明が解決しようとする課題】
しかしながら、従来の構成では、空気調和装置とショーケースとをそれぞれ別システムとして稼働させるため、電力の使用量が多いという問題がある。
【０００７】
また、空気調和装置とショーケースとをそれぞれ別システムとして稼働させるため、例えば、空気調和装置の室内ユニットにより暖房運転される場合、空気調和装置の室外ユニットにより外気から吸熱され、逆にクールケースとして運転されるショーケースにより吸熱された熱エネルギーがショーケースの室外ユニットにより外気に放熱されるので、熱エネルギーが効率的に利用されない場合があるという問題がある。
【０００８】
そこで、本発明の目的は、上述した従来技術が有する課題を解消し、圧縮機及び室外熱交換器を有する室外ユニットで室内熱交換器を有する室内ユニット及びショーケース熱交換器を有するショーケースを同一システムとして稼働できる冷凍システムを提供することにある。
【０００９】
【課題を解決するための手段】
請求項１記載の発明は、圧縮機及び室外熱交換器を有する室外ユニットと、室内熱交換器を有する少なくとも１台の室内ユニット及びショーケース熱交換器を有する少なくとも１台のショーケースとがユニット間配管により接続され、前記室外熱交換器の一端が、圧縮機の冷媒吐出管と冷媒吸込管とに択一に分岐して接続され、前記ユニット間配管が、前記冷媒吐出管に接続された高圧ガス管と、前記冷媒吸込管に接続された低圧ガス管と、前記室外熱交換器の他端に接続された液管とを有して構成され、前記室内熱交換器及び前記ショーケース熱交換器の一端が前記高圧ガス管及び前記低圧ガス管に、他端が前記液管にそれぞれ接続され、前記室内ユニットを冷房運転若しくは暖房運転させる第１制御手段と、前記ショーケースをクールケース若しくはホットケースとして運転させる第２制御手段とを備え、前記第１制御手段が前記室内ユニットに冷房運転を行わせて前記第２制御手段が前記ショーケースユニットをホットケースとして運転させる混在運転、及び、前記第１制御手段が前記室内ユニットに暖房運転を行わせて前記第２制御手段が前記ショーケースユニットをクールケースとして運転させる混在運転を実行可能であって、前記第１制御手段は、前記室内熱交換器に接続された前記高圧ガス管及び前記低圧ガス管を開閉する弁を開閉させる制御を行い、前記室内ユニットに冷房運転を行わせる場合は前記低圧ガス管の弁を開いて前記高圧ガス管の弁を閉じ、前記室内ユニットに暖房運転を行わせる場合は前記高圧ガス管の弁を開いて前記低圧ガス管の弁を閉じる制御を行い前記第２制御手段は、前記第１制御手段による弁の開閉の制御とは独立して、前記ショーケース熱交換器に接続された前記高圧ガス管及び前記低圧ガス管を開閉する弁を開閉させる制御を行うものであって、前記ショーケースをクールケースとして運転させる場合は前記低圧ガス管の弁を開いて前記高圧ガス管の弁を閉じ、前記ショーケースをホットケースとして運転させる場合は前記高圧ガス管の弁を開いて前記低圧ガス管の弁を閉じる制御を行うことを特徴とするものである。
【００１１】
請求項２記載の発明は、請求項１記載の冷凍システムにおいて、前記ショーケースの運転を停止させ、前記第２制御手段により前記ショーケースをクールケース若しくはホットケースとして運転させる制御を行わない状態を実行可能であることを特徴とするものである。
【００１２】
請求項３記載の発明は、請求項１または２記載の発明において、前記室内ユニットの負荷と、前記ショーケースの負荷とに応じて前記室外熱交換器を凝縮器若しくは蒸発器として機能させる、又は、前記室外熱交換器を機能させないようにする第３制御手段を備えたことを特徴とするものである。
【００１３】
請求項４記載の発明は、請求項１ないし３のいずれか１項に記載の発明において、前記圧縮機がエンジンで駆動されることを特徴とするものである。
【００１４】
請求項１記載の発明では、室外ユニットとユニット間配管により接続された室内ユニットは、冷房運転若しくは暖房運転が可能であり、この室外ユニットとユニット間配管により接続されたショーケースは、クールケース若しくはホットケースとして運転が可能であるので、室内ユニット及びショーケースによる冷暖同時の混在運転が可能である。
【００１５】
また、請求項１記載の発明では、室外ユニットとユニット間配管により接続された室内ユニットは、冷房運転若しくは暖房運転が可能であり、この室外ユニットとユニット間配管により接続されたショーケースは、クールケース若しくはホットケースとして運転が可能であり、第１制御手段により、室内熱交換器に接続された高圧ガス管及び前記低圧ガス管を開閉する弁を開閉させる制御が行われ、室内ユニットに冷房運転を行わせる場合は低圧ガス管の弁が開かれて高圧ガス管の弁が閉じられ、室内ユニットに暖房運転を行わせる場合は高圧ガス管の弁が開かれて低圧ガス管の弁を閉じる制御が行われ、第２制御手段により、第１制御手段による弁の開閉の制御とは独立して、ショーケース熱交換器に接続された高圧ガス管及び低圧ガス管を開閉する弁を開閉させる制御が行われ、ショーケースをクールケースとして運転させる場合は低圧ガス管の弁が開かれて高圧ガス管の弁が閉じられ、ショーケースをホットケースとして運転させる場合は高圧ガス管の弁が開かれて低圧ガス管の弁を閉じる制御が行われる。
【００１６】
請求項２記載の発明では、室外ユニットとユニット間配管により接続された室内ユニットは、冷房運転若しくは暖房運転が可能であると共に、この室外ユニットとユニット間配管により接続されたショーケースは、クールケース若しくはホットケースとして運転が可能である上、ショーケースの運転を停止させ、第２制御手段によりショーケースをクールケース若しくはホットケースとして運転させる制御を行わない状態を実行可能である。
【００１７】
請求項３記載の発明では、室内ユニットの負荷と、ショーケースの負荷とに応じて室外熱交換器を凝縮器若しくは蒸発器として機能させる、又は、室外熱交換器を機能させないようにすることから、負荷に応じた運転が可能である。
【００１８】
請求項４記載の発明では、圧縮機がエンジンで駆動されるので、電力の使用量を削減できる。
【００１９】
【発明の実施の形態】
以下、本発明の実施の形態を、図面に基づき説明する。
【００２０】
図１は、本発明に係る冷凍システムの一実施の形態を示す冷媒回路図である。この冷凍システム５０は、室外ユニット１と、室内を空気調和する少なくとも１台の室内ユニット２と、少なくとも１台のショーケース３とを備えて構成される。
【００２１】
これら室内ユニット２及びショーケース３は、例えばスーパーマーケットやコンビニエンスストア等の屋内に設置される。
【００２２】
本実施の形態において、少なくとも１台の室内ユニット２は、例えば、３台の室内ユニット２ａ、２ｂ、２ｃとする。また、少なくとも１台のショーケース３は、例えば、３台のショーケース３ａ、３ｂ、３ｃとする。
【００２３】
室外ユニット１には、圧縮機１０と、室外熱交換器１１と、室外膨張弁１８とが備えられている。室外熱交換器１１は、少なくとも１台の室外熱交換器である。少なくとも１台の室外熱交換器として、室外熱交換器１１は、複数台（例えば２台）の室外熱交換器１１ａ、１１ｂであり、互いに並列に接続される。また、室外膨張弁１８は、室外熱交換器１１と同数である。例えば、２つの室外膨張弁１８ａ、１８ｂである。室外熱交換器１１は、例えば、水冷式である。
【００２４】
圧縮機１０は、能力可変式である。この圧縮機１０は、図示しないエンジン（例えば、ガスエンジン）によって駆動される。これによって、電気モータで駆動される圧縮機に比べて電力の使用量を削減できる。
【００２５】
室内ユニット２ａには、室内熱交換器２０ａと室内膨張弁２１ａとが備えられており、同様に、室内ユニット２ｂには、室内熱交換器２０ｂと室内膨張弁２１ｂとが備えられており、室内ユニット２ｃには、室内熱交換器２０ｃと室内膨張弁２１ｃとが備えられている。尚、室内ユニット２ａを冷房運転させる場合は、室内熱交換器２０ａを蒸発器として機能させ、室内ユニット２ａを暖房運転させる場合は、室内熱交換器２０ａを凝縮器として機能させる。室内ユニット２ｂ、２ｃにおいても同様である。
【００２６】
ショーケース３ａには、ショーケースに用いられる熱交換器としてショーケース熱交換器３０ａとショーケースの膨張弁としてショーケース側膨張弁３９ａとが備えられており、同様に、ショーケース３ｂには、ショーケース熱交換器３０ｂとショーケース側膨張弁３９ｂとが備えられており、ショーケース３ｃには、ショーケース熱交換器３０ｃとショーケース側膨張弁３９ｃとが備えられている。尚、ショーケース３ａをクールケースとして運転させる場合は、ショーケース熱交換器３０ａを蒸発器（冷却器）として機能させ、ショーケース３ａをホットケースとして運転させる場合は、ショーケース熱交換器３０ａを凝縮器（加熱器）として機能させる。ショーケース３ｂ、３ｃにおいても同様である。なお、ショーケース３ａ、３ｂ、３ｃのそれぞれは、除霜運転するとき、ホットケースとして一定時間運転させることにより除霜が可能となる。
【００２７】
室内ユニット２ａ、２ｂ、２ｃのそれぞれは、ユーザによって暖房運転または冷房運転に切換可能に構成されている。また、ショーケース３ａ、３ｂ、３ｃのそれぞれは、ユーザによってホットケース又はクールケースとしての運転に切換可能に構成されている。例えば、図示しないリモートコントローラの切換スイッチボタン等によって切換可能に構成されていてもよいし、室内ユニット（本体）２ａ、２ｂ、２ｃや、ショーケース（本体）３ａ、３ｂ、３ｃに設けた図示しない切換スイッチ等によって切換可能に構成されていてもよい。
【００２８】
室外ユニット１と室内ユニット２ａ、２ｂ、２ｃ及びショーケース３ａ、３ｂ、３ｃとがユニット間配管４により接続される。このユニット間配管４は、高圧ガス管５、低圧ガス管６及び液管７を備えてなる。高圧ガス管５が冷媒吐出管１３に接続され、低圧ガス管６が冷媒吸込管１４に接続される。
【００２９】
上記室外ユニット１では、室外熱交換器１１ａの一端が、圧縮機１０の冷媒吐出管１３と冷媒吸込管１４とに、それぞれ切換弁１５ａ、１６ａを配設した高圧ガス分岐管８ａ、低圧ガス分岐管９ａを介して択一に分岐して接続されており、室外熱交換器１１ｂの一端が、圧縮機１０の冷媒吐出管１３と冷媒吸込管１４とに、それぞれ切換弁１５ｂ、１６ｂを配設した高圧ガス分岐管８ｂ、低圧ガス分岐管９ｂを介して択一に分岐して接続されている。また、冷媒吸込管１４にアキュムレータ１２が配設されている。液管７は、室外膨張弁１８ａ、１８ｂを配設した液分岐管１９ａ、１９ｂを介して室外熱交換器１１ａ、１１ｂの他端に接続される。
【００３０】
室内ユニット２ａ、２ｂ、２ｃのユニット間配管４への接続について説明する。
【００３１】
室内ユニット２ａの室内熱交換器２０ａは、その一端が、室内側高圧ガス分岐管２２ａを介して高圧ガス管５に接続されるとともに、室内側低圧ガス分岐管２３ａを介して低圧ガス管６に接続される。同様に、室内ユニット２ｂの室内熱交換器２０ｂは、その一端が、室内側高圧ガス分岐管２２ｂを介して高圧ガス管５に接続されるとともに、室内側低圧ガス分岐管２３ｂを介して低圧ガス管６に接続される。更に、室内ユニット２ｃの室内熱交換器２０ｃは、その一端が、室内側高圧ガス分岐管２２ｃを介して高圧ガス管５に接続されるとともに、室内側低圧ガス分岐管２３ｃを介して低圧ガス管６に接続される。
【００３２】
また、室内ユニット２ａ、２ｂ、２ｃのそれぞれの室内熱交換器２０ａ、２０ｂ、２０ｃは、それらの他端が、室内膨張弁２１ａを配設した室内側液分岐管２４ａ、室内膨張弁２１ｂを配設した室内側液分岐管２４ｂ、室内膨張弁２１ｃを配設した室内側液分岐管２４ｃを介して液管７にそれぞれ接続される。
【００３３】
室内側高圧ガス分岐管２２ａ、２２ｂ、２２ｃのそれぞれに、室内側第１開閉弁２５ａ、２５ｂ、２５ｃが配設される。また、室内側低圧ガス分岐管２３ａ、２３ｂ、２３ｃのそれぞれに、室内側第２開閉弁２６ａ、２６ｂ、２６ｃが配設される。
【００３４】
室内側第１開閉弁２５ａ及び室内側第２開閉弁２６ａを備えて室内側開閉弁ユニット２７ａが構成される。同様に、室内側第１開閉弁２５ｂ及び室内側第２開閉弁２６ｂを備えて室内側開閉弁ユニット２７ｂが、室内側第１開閉弁２５ｃ及び室内側第２開閉弁２６ｃを備えて室内側開閉弁ユニット２７ｃがそれぞれ構成される。
【００３５】
室内側第１開閉弁２５ａと室内側第２開閉弁２６ａは、一方が開操作されたとき、他方が閉操作される。室内側第１開閉弁２５ｂと室内側第２開閉弁２６ｂ、室内側第１開閉弁２５ｃと室内側第２開閉弁２６ｃも、同様に、一方が開操作されたとき、他方が閉操作される。これにより、各室内熱交換器２０ａ、２０ｂ、２０ｃの一端は、室内側開閉弁ユニット２７ａ、２７ｂ、２７ｃのそれぞれにより、ユニット間配管４の高圧ガス管５と低圧ガス管６とに択一に接続される。尚、室内ユニット２ａ、２ｂ、２ｃのそれぞれの運転が停止される場合は、室内側第１開閉弁２５ａ、２５ｂ、２５ｃのそれぞれと室内側第２開閉弁２６ａ、２６ｂ、２６ｃのそれぞれとが閉操作される。
【００３６】
次に、ショーケース３ａ、３ｂ、３ｃのユニット間配管４への接続について説明する。
【００３７】
ショーケース３ａのショーケース熱交換器３０ａは、室内ユニット２ａ、２ｂ、２ｃの室内熱交換器２０ａ、２０ｂ、２０ｃと同様に、その一端が、ショーケース側高圧ガス分岐管３２ａを介して高圧ガス管５に接続されるとともに、ショーケース側低圧ガス分岐管３３ａを介して低圧ガス管６に接続される。同様に、ショーケース３ｂのショーケース熱交換器３０ｂは、その一端が、ショーケース側高圧ガス分岐管３２ｂを介して高圧ガス管５に接続されるとともに、ショーケース側低圧ガス分岐管３３ｂを介して低圧ガス管６に接続される。更に、ショーケース３ｃのショーケース熱交換器３０ｃは、その一端が、ショーケース側高圧ガス分岐管３２ｃを介して高圧ガス管５に接続されるとともに、ショーケース側低圧ガス分岐管３３ｃを介して低圧ガス管６に接続される。
【００３８】
また、ショーケース３ａ、３ｂ、３ｃのそれぞれのショーケース熱交換器３０ａ、３０ｂ、３０ｃは、それらの他端が、液電磁弁３１ａ及びショーケース側膨張弁３９ａを配設したショーケース側液分岐管３４ａ、液電磁弁３１ｂ及びショーケース側膨張弁３９ｂを配設したショーケース側液分岐管３４ｂ、液電磁弁３１ｃ及びショーケース側膨張弁３９ｃを配設したショーケース側液分岐管３４ｃを介して液管７にそれぞれ接続される。
【００３９】
ショーケース側高圧ガス分岐管３２ａ、３２ｂ、３２ｃのそれぞれに、ショーケース側第１開閉弁３５ａ、３５ｂ、３５ｃが配設される。また、ショーケース側低圧ガス分岐管３３ａ、３３ｂ、３３ｃのそれぞれに、ショーケース側第２開閉弁３６ａ、３６ｂ、３６ｃが配設される。
【００４０】
ショーケース側第１開閉弁３５ａ及びショーケース側第２開閉弁３６ａを備えてショーケース側開閉弁ユニット３７ａが構成される。同様に、ショーケース側第１開閉弁３５ｂ及びショーケース側第２開閉弁３６ｂを備えてショーケース側開閉弁ユニット３７ｂが、ショーケース側第１開閉弁３５ｃ及びショーケース側第２開閉弁３６ｃを備えてショーケース側開閉弁ユニット３７ｃがそれぞれ構成される。
【００４１】
ショーケース側第１開閉弁３５ａとショーケース側第２開閉弁３６ａは、一方が開操作されたとき、他方が閉操作される。ショーケース側第１開閉弁３５ｂとショーケース側第２開閉弁３６ｂ、ショーケース側第１開閉弁３５ｃとショーケース側第２開閉弁３６ｃも、同様に、一方が開操作されたとき、他方が閉操作される。これにより、各ショーケース熱交換器３０ａ、３０ｂ、３０ｃの一端は、ショーケース側開閉弁ユニット３７ａ、３７ｂ、３７ｃのそれぞれにより、ユニット間配管４の高圧ガス管５と低圧ガス管６とに択一に接続される。尚、ショーケース３ａ、３ｂ、３ｃのそれぞれの運転が停止される場合は、ショーケース側第１開閉弁３５ａ、３５ｂ、３５ｃのそれぞれと、ショーケース側第２開閉弁３６ａ、３６ｂ、３６ｃのそれぞれとが閉操作される。
【００４２】
次に、本実施の形態における冷凍システム１の制御について説明する。
【００４３】
室外ユニット１には室外制御装置１７が備えられている。この室外制御装置１７は、室外ユニット１内の圧縮機１０、室外膨張弁１８ａ、室外膨張弁１８ｂ、切換弁１５ａ及び１６ａ、切換弁１５ｂ及び１６ｂを制御する。
【００４４】
また、室内ユニット２ａには、室内制御装置２８ａが備えられている。同様に、室内ユニット２ｂには、室内制御装置２８ｂが備えられており、室内ユニット２ｃは、室内制御装置２８ｃが備えられている。これら室内制御装置２８ａ、２８ｂ、２８ｃのそれぞれは、室内膨張弁２１ａ、２１ｂ、２１ｃのそれぞれと、室内側開閉弁ユニット２７ａ、２７ｂ、２７ｃの室内側第１開閉弁２５ａ、２５ｂ、２５ｃ及び室内側第２開閉弁２６ａ、２６ｂ、２６ｃのそれぞれとを制御する。
【００４５】
また、ショーケース３ａには、ショーケース制御装置３８ａが備えられている。同様に、ショーケース３ｂには、ショーケース制御装置３８ｂが備えられており、ショーケース３ｃには、ショーケース制御装置３８ｃが備えられている。これらショーケース制御装置３８ａ、３８ｂ、３８ｃは、液電磁弁３１ａ、３１ｂ、３１ｃのそれぞれと、ショーケース側膨張弁３９ａ、３９ｂ、３９ｃのそれぞれと、ショーケース側開閉弁ユニット３７ａ、３７ｂ、３７ｃのショーケース側第１開閉弁３５ａ、３５ｂ、３５ｃ及びショーケース側第２開閉弁３６ａ、３６ｂ、３６ｃのそれぞれとを制御する。
【００４６】
また、室内制御装置２８ａ、２８ｂ、２８ｃ及びショーケース制御装置３８ａ、３８ｂ、３８ｃは、室外制御装置１７に接続されている。
【００４７】
室内ユニット２ａの室内制御装置２８ａは、室内ユニット２ａを冷房運転若しくは暖房運転させる制御を行う（第１制御手段）。同様に、室内ユニット２ｂの室内制御装置２８ｂは、室内ユニット２ｂを冷房運転若しくは暖房運転させる制御を行う（第１制御手段）。また、同様に、室内ユニット２ｃの室内制御装置２８ｃは、室内ユニット２ｃを冷房運転若しくは暖房運転させる制御を行う（第１制御手段）。
【００４８】
尚、これら室内ユニット２ａ、２ｂ、２ｃのうち、運転が停止している室内ユニットにおいては、冷房運転若しくは暖房運転させる制御が行われないことはいうまでもない。したがって、上述の第１制御手段として、運転が停止している室内ユニットにおいては、冷房運転若しくは暖房運転させる制御が行われないことが含まれているものとする。
【００４９】
具体的に、室内ユニット２ａの室内制御装置２８ａは、室内ユニット２ａを冷房運転若しくは暖房運転させるべく、室内側開閉弁ユニット２７ａの室内側第１開閉弁２５ａと室内側第２開閉弁２６ａとを開閉操作する信号を室内側開閉弁ユニット２７ａへ出力し、更に、空調負荷に応じて、室内膨張弁２１ａの開度等を制御する。
【００５０】
同様に、室内ユニット２ｂの室内制御装置２８ｂは、室内ユニット２ｂを冷房運転若しくは暖房運転させるべく、室内側開閉弁ユニット２７ｂの室内側第１開閉弁２５ｂと室内側第２開閉弁２６ｂとを開閉操作する信号を室内側開閉弁ユニット２７ｂへ出力し、更に、空調負荷に応じて、室内膨張弁２１ｂの開度等を制御する。
【００５１】
また、同様に、室内ユニット２ｃの室内制御装置２８ｃは、室内ユニット２ｃを冷房運転若しくは暖房運転させるべく、室内側開閉弁ユニット２７ｃの室内側第１開閉弁２５ｃと室内側第２開閉弁２６ｃとを開閉操作する信号を室内側開閉弁ユニット２７ｃへ出力し、更に、空調負荷に応じて、室内膨張弁２１ｃの開度等を制御する。
【００５２】
つまり、室内ユニット２ａ、２ｂ、２ｃのそれぞれにおいて暖房運転されるときは、室内制御装置２８ａ、２８ｂ、２８ｃによって、室内側第１開閉弁２５ａ、２５ｂ、２５ｃのそれぞれが開操作、室内側第２開閉弁２６ａ、２６ｂ、２６ｃのそれぞれが閉操作される。これによって、室内熱交換器２０ａ、２０ｂ、２０ｃのそれぞれは凝縮器として機能する。
【００５３】
室内ユニット２ａ、２ｂ、２ｃのそれぞれにおいて冷房運転するときは、室内制御装置２８ａ、２８ｂ、２８ｃによって、室内側第１開閉弁２５ａ、２５ｂ、２５ｃのそれぞれが閉操作、室内側第２開閉弁２６ａ、２６ｂ、２６ｃのそれぞれが開操作される。これによって、室内熱交換器２０ａ、２０ｂ、２０ｃのそれぞれは蒸発器として機能する。
【００５４】
ショーケース３ａのショーケース制御装置３８ａは、ショーケース３ａをクールケース若しくはホットケースとして運転させる制御を行う（第２制御手段）。同様に、ショーケース３ｂのショーケース制御装置３８ｂは、ショーケース３ｂをクールケース若しくはホットケースとして運転させる制御を行う（第２制御手段）。また、同様に、ショーケース３ｃのショーケース制御装置３８ｃは、ショーケース３ｃをクールケース若しくはホットケースとして運転させる制御を行う（第２制御手段）。
【００５５】
尚、これらショーケース３ａ、３ｂ、３ｃのうち、運転が停止しているショーケースにおいては、クールケース若しくはホットケースとして運転させる制御が行われないことはいうまでもない。したがって、上述の第２制御手段として、運転が停止しているショーケースにおいては、クールケース若しくはホットケースとして運転させる制御が行われないことが含まれているものとする。
【００５６】
具体的に、ショーケース３ａのショーケース制御装置３８ａは、ショーケース３ａをクールケース若しくはホットケースとして運転させるべく、ショーケース側開閉弁ユニット３７ａのショーケース側第１開閉弁３５ａとショーケース側第２開閉弁３６ａとを開閉操作する信号をショーケース側開閉弁ユニット３７ａへ出力し、更に、負荷に応じて、液電磁弁３１ａの開閉、及びショーケース側膨張弁３９ａの開度等を制御する。
【００５７】
同様に、ショーケース３ｂのショーケース制御装置３８ｂは、ショーケース３ｂをクールケース若しくはホットケースとして運転させるべく、ショーケース側開閉弁ユニット３７ｂのショーケース側第１開閉弁３５ｂとショーケース側第２開閉弁３６ｂとを開閉操作する信号をショーケース側開閉弁ユニット３７ｂへ出力し、更に、負荷に応じて、液電磁弁３１ｂの開閉、及びショーケース側膨張弁３９ｂの開度等を制御する。
【００５８】
また、同様に、ショーケース３ｃのショーケース制御装置３８ｃは、ショーケース３ｃをクールケース若しくはホットケースとして運転させるべく、ショーケース側開閉弁ユニット３７ｃのショーケース側第１開閉弁３５ｃとショーケース側第２開閉弁３６ｃとを開閉操作する信号をショーケース側開閉弁ユニット３７ｃへ出力し、更に、負荷に応じて、液電磁弁３１ｃの開閉、及びショーケース側膨張弁３９ｃの開度等を制御する。
【００５９】
つまり、ショーケース３ａ、３ｂ、３ｃのそれぞれにおいてホットケースとして運転されるときは、ショーケース制御装置３８ａ、３８ｂ、３８ｃによって、ショーケース側第１開閉弁３５ａ、３５ｂ、３５ｃのそれぞれが開操作、ショーケース側第２開閉弁３６ａ、３６ｂ、３６ｃのそれぞれが閉操作される。これによって、ショーケース熱交換器３０ａ、３０ｂ、３０ｃのそれぞれは凝縮器として機能する。
【００６０】
ショーケース３ａにおいてクールケースとして運転されるときは、ショーケース制御装置３８ａ、３８ｂ、３８ｃによって、ショーケース側第１開閉弁３５ａが閉操作、ショーケース側第２開閉弁３６ａが開操作される。これによって、ショーケース熱交換器３０ａ、３０ｂ、３０ｃのそれぞれは蒸発器として機能する。
【００６１】
本実施の形態では、室外ユニット１と室内ユニット２とで空気調和装置が構成されて冷暖房運転が可能であり、更にこの室外ユニット１でショーケース３がクールケース若しくはホットケースとして運転可能である。
【００６２】
即ち、冷凍システム５０は、室内ユニット２ａ、２ｂ、２ｃを同時に冷房運転若しくは暖房運転可能であり、又は、これらの冷房運転と暖房運転とを混在して実施可能である。また、冷凍システム５０は、ショーケース３ａ、３ｂ、３ｃを同時にクールケース若しくはホットケースとして運転可能であり、又は、これらのクールケースとしての運転とホットケースとしての運転とを混在して実施可能である。従って、室内ユニット２ａ、２ｂ、２ｃ及びショーケース３ａ、３ｂ、３ｃによる冷暖同時運転が可能である。尚、この冷暖同時運転は、ショーケース３ａ、３ｂ、３ｃによるクールケースとしての運転やホットケースとしての運転を含むものとする。
【００６３】
室外制御装置１７では、各室内ユニット２ａ、２ｂ、２ｃ及び各ショーケース３ａ、３ｂ、３ｃの負荷が計算される（負荷計算手段）。各室内ユニット２ａ、２ｂ、２ｃ及び各ショーケース３ａ、３ｂ、３ｃの負荷は、各室内ユニット２ａ、２ｂ、２ｃ及び各ショーケース３ａ、３ｂ、３ｃの容量、空気の吸込温度等を基に計算される。
【００６４】
各室内ユニット２ａ、２ｂ、２ｃの負荷には、冷房運転する場合の冷房負荷と、暖房運転する場合の暖房負荷とがあり、各ショーケース３ａ、３ｂ、３ｃの負荷には、クールケースとしての運転する場合の冷却負荷と、ホットケースとしての運転する場合の加熱負荷とがある。従って、以下、冷却負荷といった場合は冷房負荷も含むものとし、加熱負荷といった場合は暖房負荷も含むものとする。
【００６５】
室外制御装置１７は、室内ユニット２ａ、２ｂ、２ｃの負荷とショーケース３ａ、３ｂ、３ｃの負荷とに応じて、室外熱交換器１１を凝縮器若しくは蒸発器として機能させる、又は、室外熱交換器１１を機能させないようにする（第３制御手段）。
【００６６】
例えば、室内ユニット２ａ、２ｂ、２ｃの負荷とショーケース３ａ、３ｂ、３ｃの負荷とに応じて、少なくとも１台の室外熱交換器として複数台の室外熱交換器１１のうち、負荷に応じた台数の室外熱交換器１１を凝縮器若しくは蒸発器として機能させる、又は室外熱交換器１１を機能させないようにする。この複数台の室外熱交換器１１は、接続される室内ユニット２及びショーケース３の台数等に応じて決定される。
【００６７】
室外制御装置１７は、室内ユニット２ａ、２ｂ、２ｃの負荷と各ショーケース３ａ、３ｂ、３ｃの負荷との計算の結果、加熱負荷よりも冷却負荷が高い場合、室外熱交換器１１を凝縮器として機能させる制御を行う。この室外熱交換器１１として複数台（例えば２台）の室外熱交換器１１ａ、１１ｂのうち、負荷に応じた台数の室外熱交換器１１を凝縮器として機能させる制御を行う。例えば、負荷に応じて室外熱交換器１１ａ、１１ｂのいずれか一方又は両方を凝縮器として機能させる制御を行う。また、負荷に応じて室外膨張弁１８ａ、１８ｂの開度を制御する。
【００６８】
また、室外制御装置１７は、室内ユニット２ａ、２ｂ、２ｃの負荷と各ショーケース３ａ、３ｂ、３ｃの負荷との計算の結果、冷却負荷よりも加熱負荷が高い場合、室外熱交換器１１を蒸発器として機能させる制御を行う。この室外熱交換器１１として複数台（例えば２台）の室外熱交換器１１ａ、１１ｂのうち、負荷に応じた台数の室外熱交換器１１を蒸発器として機能させる制御を行う。例えば、負荷に応じて室外熱交換器１１ａ、１１ｂのいずれか一方又は両方を蒸発器として機能させる制御を行う。また、負荷に応じて室外膨張弁１８ａ、１８ｂの開度を制御する。
【００６９】
また、室外制御装置１７は、室内ユニット２ａ、２ｂ、２ｃの負荷と各ショーケース３ａ、３ｂ、３ｃの負荷との計算の結果、加熱負荷と冷却負荷とが平衡している場合、室外熱交換器１１を機能させない制御を行う。
【００７０】
具体的には、室外熱交換器１１として複数台（例えば２台）の室外熱交換器１１ａ、１１ｂのうち、負荷に応じた台数の室外熱交換器１１を凝縮器として機能させる制御として、例えば、負荷に応じて室外熱交換器１１ａ、１１ｂを凝縮器として機能させる場合、室外制御装置１７が切換弁１５ａ、１５ｂを開操作し、切換弁１６ａ、１６ｂを閉操作する。
【００７１】
複数台（例えば２台）の室外熱交換器１１ａ、１１ｂのうち、負荷に応じた台数の室外熱交換器１１を凝縮器として機能させる制御として、例えば、負荷に応じて室外熱交換器１１ａ、１１ｂのいずれか一方、例えば、室外熱交換器１１ａを凝縮器として機能させる場合、室外制御装置１７が切換弁１５ａを開操作し、切換弁１６ａを閉操作するとともに、他の室外熱交換器１１ｂを機能させないように、切換弁１５ｂ、１６ｂを閉操作する。逆に、室外熱交換器１１ｂを凝縮器として機能させる場合、室外制御装置１７が切換弁１５ｂを開操作し、切換弁１６ｂを閉操作するとともに、他の室外熱交換器１１ａを機能させないように、切換弁１５ａ、１６ａを閉操作する。
【００７２】
また、室外熱交換器１１、複数台（例えば２台）の室外熱交換器１１ａ、１１ｂのうち、負荷に応じた台数の室外熱交換器１１を蒸発器として機能させる制御として、例えば、負荷に応じて室外熱交換器１１ａ、１１ｂを蒸発器として機能させる場合、室外制御装置１７が切換弁１５ａ、１５ｂを閉操作し、切換弁１６ａ、１６ｂを開操作する。
【００７３】
複数台（例えば２台）の室外熱交換器１１ａ、１１ｂのうち、負荷に応じた台数の室外熱交換器１１を蒸発器として機能させる制御として、例えば、負荷に応じて室外熱交換器１１ａ、１１ｂのいずれか一方、例えば、室外熱交換器１１ａを蒸発器として機能させる場合、室外制御装置１７が切換弁１５ａを閉操作し、切換弁１６ａを開操作するとともに、他の室外熱交換器１１ｂを機能させないように、切換弁１５ｂ、１６ｂを閉操作する。逆に室外熱交換器１１ｂを蒸発器として機能させる場合、室外制御装置１７が切換弁１５ｂを閉操作し、切換弁１６ｂを開操作するとともに、他の室外熱交換器１１ａを機能させないように、切換弁１５ａ、１６ａを閉操作する。
【００７４】
室外熱交換器１１（室外熱交換器１１ａ、１１ｂ）を機能させない場合は、室外制御装置１７が全ての切換弁１５ａ、１６ａ、１５ｂ、１６ｂを閉操作する。
【００７５】
次に運転動作を説明する。
【００７６】
（Ａ）全室内ユニット２ａ、２ｂ、２ｃを同時に暖房運転し、全ショーケース３ａ、３ｂ、３ｃを同時にクールケースとして運転する場合において、加熱負荷と冷却負荷とが平衡している場合について説明する。
【００７７】
この場合、全ての切換弁１５ａ、１６ａ、１５ｂ、１６ｂを閉じる。そして、室内側開閉弁ユニット２７ａ、２７ｂ、２７ｃの室内側第１開閉弁２５ａ、２５ｂ、２５ｃを開くとともに、室内側第２開閉弁２６ａ、２６ｂ、２６ｃを閉じる。また、ショーケース側開閉弁ユニット３７ａ、２７ｂ、３７ｃのショーケース側第１開閉弁３５ａ、３５ｂ、３５ｃを閉じるとともに、ショーケース側第２開閉弁３６ａ、３６ｂ、３６ｃを開く。
【００７８】
これにより、圧縮機１０から吐出された冷媒は、冷媒吐出管１３、高圧ガス管５を順次経て室内側高圧ガス分岐管２２ａ、２２ｂ、２２ｃに分配された後、室内側第１開閉弁２５ａ、２５ｂ、２５ｃ、室内熱交換器２０ａ、２０ｂ、２０ｃへと流れ、ここでそれぞれ凝縮液化した後、室内側液分岐管２４ａ、２４ｂ、２４ｃを経て室内膨張弁２１ａ、２１ｂ、２１ｃを流れて液管７で合流される。そして、ショーケース側液分岐管３４ａ、３４ｂ、３４ｃに分配された後、液電磁弁３１ａ、３１ｂ、３１ｃを経てショーケース側膨張弁３９ａ、３９ｂ、３９ｃで減圧されショーケース熱交換器３０ａ、３０ｂ、３０ｃで蒸発気化される。その後、ショーケース側低圧ガス分岐管３３ａ、３３ｂ、３３ｃを経てショーケース側第２開閉弁３６ａ、３６ｂ、３６ｃを流れて、低圧ガス管６で合流される。そして、冷媒吸込管１４、アキュムレータ１２を順次経て圧縮機１０に吸入される。
【００７９】
このように、各室内熱交換器２０ａ、２０ｂ、２０ｃが凝縮器として機能し、各ショーケース熱交換器３０ａ、３０ｂ、３０ｃが蒸発器として機能することで、全室内ユニット２ａ、２ｂ、２ｃが同時に暖房運転され、全ショーケース３ａ、３ｂ、３ｃが同時にクールケースとして運転される。
【００８０】
（Ｂ）全室内ユニット２ａ、２ｂ、２ｃを同時に冷房運転し、全ショーケース３ａ、３ｂ、３ｃを同時にホットケースとして運転する場合において、加熱負荷と冷却負荷とが平衡している場合について説明する。
【００８１】
この場合、全ての切換弁１５ａ、１６ａ、１５ｂ、１６ｂを閉じる。そして、室内側開閉弁ユニット２７ａ、２７ｂ、２７ｃの室内側第１開閉弁２５ａ、２５ｂ、２５ｃを閉じるとともに、室内側第２開閉弁２６ａ、２６ｂ、２６ｃを開く。また、ショーケース側開閉弁ユニット３７ａ、２７ｂ、３７ｃのショーケース側第１開閉弁３５ａ、３５ｂ、３５ｃを開くとともに、ショーケース側第２開閉弁３６ａ、３６ｂ、３６ｃを閉じる。
【００８２】
これにより、圧縮機１０から吐出された冷媒は、冷媒吐出管１３、高圧ガス管５を順次経てショーケース側高圧ガス分岐管３２ａ、３２ｂ、３２ｃに分配された後、ショーケース側第１開閉弁３５ａ、３５ｂ、３５ｃ、ショーケース熱交換器３０ａ、３０ｂ、３０ｃへと流れ、ここでそれぞれ凝縮液化した後、ショーケース側液分岐管３４ａ、３４ｂ、３４ｃを経てショーケース側膨張弁３９ａ、３９ｂ、３９ｃ及び液電磁弁３１ａ、３１ｂ、３１ｃを流れて液管７で合流される。そして、液管７を流れる冷媒は、室内側液分岐管２４ａ、２４ｂ、２４ｃに分配された後、室内膨張弁２１ａ、２１ｂ、２１ｃで減圧され室内熱交換器２０ａ、２０ｂ、２０ｃで蒸発気化される。その後、室内側低圧ガス分岐管２３ａ、２３ｂ、２３ｃを経て室内側第２開閉弁２６ａ、２６ｂ、２６ｃを流れて、低圧ガス管６で合流される。そして、冷媒吸込管１４、アキュムレータ１２を順次経て圧縮機１０に吸入される。
【００８３】
このように、各室内熱交換器２０ａ、２０ｂ、２０ｃが蒸発器として機能し、各ショーケース熱交換器３０ａ、３０ｂ、３０ｃが凝縮器として機能することで、全室内ユニット２ａ、２ｂ、２ｃが同時に冷房運転され、全ショーケース３ａ、３ｂ、３ｃが同時にホットケースとして運転される。
【００８４】
（Ｃ）全室内ユニット２ａ、２ｂ、２ｃを同時に暖房運転し、全ショーケース３ａ、３ｂ、３ｃを同時にクールケースとして運転する場合、又は全室内ユニット２ａ、２ｂ、２ｃを同時に冷房運転し、全ショーケース３ａ、３ｂ、３ｃを同時にホットケースとして運転する場合において、加熱負荷よりも冷却負荷が高い場合について説明する。尚、室内ユニット２ａ、２ｂ、２ｃとショーケース３ａ、３ｂ、３ｃの動作は、（Ａ）又は（Ｂ）と同様であるので、同様である点については説明を省略し、異なる点について説明する。
【００８５】
この場合、室外熱交換器１１ａ、１１ｂの一方の切換弁１５ａ、１５ｂを開くとともに他方の切換弁１６ａ、１６ｂを閉じる。
【００８６】
これにより、圧縮機１０から吐出された冷媒は、冷媒吐出管１３、高圧ガス管５を順次経て室内側高圧ガス分岐管２２ａ、２２ｂ、２２ｃ又はショーケース側高圧ガス分岐管３２ａ、３２ｂ、３２ｃに分配されるとともに、高圧ガス分岐管８ａ、８ｂに分配される。そして、高圧ガス分岐管８ａ、８ｂに分配された冷媒は、切換弁１５ａ、１５ｂ、室外熱交換器１１ａ、１１ｂを流れて、凝縮液化した後、液分岐管１９ａ、１９ｂを経て液管７で合流される。このように、室外ユニット１の室外熱交換器１１ａ、１１ｂが凝縮器として機能する。
【００８７】
尚、室外熱交換器１１ａ、１１ｂを凝縮器として機能させる場合について説明したが、これに限るものではなく、いずれか一方を凝縮器として機能させる場合であってもよい。例えば、室外熱交換器１１ａを凝縮器として機能させる場合は、切換弁１５ａを開き、切換弁１６ａを閉じるとともに、切換弁１５ｂ、１６ｂを閉じる。逆に、室外熱交換器１１ｂを凝縮器として機能させる場合は、切換弁１５ｂを開き、切換弁１６ｂを閉じるとともに、切換弁１５ａ、１６ａを閉じる。
【００８８】
（Ｄ）全室内ユニット２ａ、２ｂ、２ｃを同時に暖房運転し、全ショーケース３ａ、３ｂ、３ｃを同時にクールケースとして運転する場合、又は全室内ユニット２ａ、２ｂ、２ｃを同時に冷房運転し、全ショーケース３ａ、３ｂ、３ｃを同時にホットケースとして運転する場合において、冷却負荷よりも加熱負荷が高い場合について説明する。尚、室内ユニット２ａ、２ｂ、２ｃとショーケース３ａ、３ｂ、３ｃの動作は、（Ａ）又は（Ｂ）と同様であるので、同様である点については説明を省略し、異なる点について説明する。
【００８９】
この場合、室外熱交換器１１ａ、１１ｂの一方の切換弁１５ａ、１５ｂを閉じるとともに他方の切換弁１６ａ、１６ｂを開く。
【００９０】
これにより、液管７を流れる冷媒は、室内側液分岐管２４ａ、２４ｂ、２４ｃ又はショーケース側液分岐管３４ａ、３４ｂ、３４ｃに分配されるとともに、液分岐管１９ａ、１９ｂに分配される。そして、液分岐管１９ａ、１９ｂに分配された冷媒は、室外膨張弁１８ａ、１８ｂで減圧され室外熱交換器２０ａ、２０ｂ、２０ｃで蒸発気化される。その後、低圧ガス分岐管９ａ、９ｂを経て切換弁１６ａ、１６ｂを流れて、低圧ガス管６で合流される。そして、冷媒吸込管１４、アキュムレータ１２を順次経て圧縮機１０に吸入される。このように、室外ユニット１の室外熱交換器１１ａ、１１ｂが蒸発器として機能する。
【００９１】
尚、室外熱交換器１１ａ、１１ｂを蒸発器として機能させる場合について説明したが、これに限るものではなく、いずれか一方を蒸発器として機能させる場合であってもよい。例えば、室外熱交換器１１ａを蒸発器として機能させる場合は、切換弁１５ａを閉じ、切換弁１６ａを開くとともに、切換弁１５ｂ、１６ｂを閉じる。逆に、室外熱交換器１１ｂを蒸発器として機能させる場合は、切換弁１５ｂを閉じ、切換弁１６ｂを開くとともに、切換弁１５ａ、１６ａを閉じる。
【００９２】
また、上述の（Ａ）〜（Ｄ）において、室内ユニット２ａ、２ｂ、２ｃのそれぞれの運転が停止している場合があってもよく、この場合は、室内側第１開閉弁２５ａ、２５ｂ、２５ｃ及び室内側第２開閉弁２６ａ、２６ｂ、２６ｃのそれぞれを閉じる。また、ショーケース３ａ、３ｂ、３ｃのそれぞれの運転が停止している場合があってもよく、この場合は、ショーケース側第１開閉弁３５ａ、３５ｂ、３５ｃ及びショーケース側第２開閉弁３６ａ、３６ｂ、３６ｃのそれぞれを閉じる。
【００９３】
また、上述の（Ａ）〜（Ｄ）において、全室内ユニット２ａ、２ｂ、２ｃを同時に暖房運転し、全ショーケース３ａ、３ｂ、３ｃを同時にクールケースとして運転する場合、又は全室内ユニット２ａ、２ｂ、２ｃを同時に冷房運転し、全ショーケース３ａ、３ｂ、３ｃを同時にホットケースとして運転する場合について説明したが、これに限るものではない。即ち、室内ユニット２ａ、２ｂ、２ｃにおいて、冷房運転と暖房運転とを混在させてもよいし、ショーケース３ａ、３ｂ、３ｃにおいて、クールケースとしての運転とホットケースとしての運転とを混在させてもよい。この場合、上述の（Ａ）〜（Ｄ）と同様に、加熱負荷と冷却負荷とが平衡している場合は、全ての切換弁１５ａ、１６ａ、１５ｂ、１６ｂを閉じる。また、加熱負荷よりも冷却負荷が高い場合は、室外熱交換器１１ａ、１１ｂの一方の切換弁１５ａ、１５ｂを開くとともに他方の切換弁１６ａ、１６ｂを閉じる。また、冷却負荷よりも加熱負荷が高い場合は、室外熱交換器１１ａ、１１ｂの一方の切換弁１５ａ、１５ｂを閉じるとともに他方の切換弁１６ａ、１６ｂを開く。
【００９４】
以上の如く、任意の室内ユニット２ａ、２ｂ、２ｃは、自由に冷房運転又は暖房運転させることができ、任意のショーケース３ａ、３ｂ、３ｃは、自由にクールケース又はホットケースとして運転させることができる。つまり、室外ユニット１で室内ユニット２ａ、２ｂ、２ｃ及びショーケース３ａ、３ｂ、３ｃを同一システムとして稼働できる。
【００９５】
本実施の形態によれば、圧縮機１０及び室外熱交換器１１を有する室外ユニット１で室内熱交換器２０ａ、２０ｂ、２０ｃをそれぞれ有する室内ユニット２ａ、２ｂ、２ｃ及びショーケース熱交換器３０ａ、３０ｂ、３０ｃをそれぞれ有するショーケース３ａ、３ｂ、３ｃを同一システムとして稼働できることから、従来、室内ユニットとショーケースとはそれぞれ別々の室外ユニットにより別システムとして稼働されていたが、本実施の形態では別システムとして稼働する必要がないため、電力の使用量を削減でき、熱エネルギーを効率的に利用することができるので、省エネルギー化が図れる。また、同一システムとしたことで室外ユニットの数が減少するので、設置スペースを縮小させることができる。また、同一システムとしたことで室外ユニットの数が減少するので、簡素化が図れ、メンテナンス工数を削減できる。
【００９６】
また、本実施の形態によれば、第１制御手段として、室内側第１開閉弁２５ａ、２５ｂ、２５ｃ及び室内側第２開閉弁２６ａ、２６ｂ、２６ｃのそれぞれの開閉操作により、室内ユニット２ａ、２ｂ、２ｃが冷房運転若しくは暖房運転され、第２制御手段として、ショーケース側第１開閉弁３５ａ、３５ｂ、３５ｃ及びショーケース側第２開閉弁３６ａ、３６ｂ、３６ｃのそれぞれの開閉操作により、ショーケース３ａ、３ｂ、３ｃがクールケース若しくはホットケースとして運転されるので、室内ユニット２ａ、２ｂ、２ｃ及びショーケース３ａ、３ｂ、３ｃによる冷暖同時運転が可能である。そして、室内ユニット２ａ、２ｂ、２ｃ及びショーケース３ａ、３ｂ、３ｃの内、冷房運転若しくはクールケースとして運転される室内ユニットやショーケースから吸熱し、室内ユニット２ａ、２ｂ、２ｃ及びショーケース３ａ、３ｂ、３ｃの内、暖房運転若しくはホットケースとして運転される室内ユニットやショーケースで放熱されるので、室外ユニット１の室外熱交換器１１における吸熱量又は放熱量を減少させることができ、熱エネルギーを効率的に利用することができる。そして、電力の使用量も削減されるので省エネルギー化が図れる。
【００９７】
また、本実施の形態によれば、室内ユニット２ａ、２ｂ、２ｃで暖房運転させ、ショーケース３ａ、３ｂ、３ｃでクールケースとして運転させる場合、ショーケース３ａ、３ｂ、３ｃから吸熱することができるので、室内ユニット２ａ、２ｂ、２ｃは低外気温度においても安定した空気調和運転が確保できる。即ち、運転可能な外気温度領域（特に低温側）が広がる。
【００９８】
また、本実施の形態によれば、ショーケース３ａ、３ｂ、３ｃのそれぞれは、ショーケース側第１開閉弁３５ａ、３５ｂ、３５ｃ及びショーケース側第２開閉弁３６ａ、３６ｂ、３６ｃのそれぞれの開閉操作によって、ホットケースからクールケース、又は、クールケースからホットケースへの切り換えが可能であることから、ショーケース３をホットケースからクールケース、又は、クールケースからホットケースへ切り換える場合、ショーケース３がクールケース専用又はホットケース専用であれば、ショーケース（本体）３の入れ換えが必要であるが、本実施の形態においては、ショーケース側第１開閉弁３５ａ、３５ｂ、３５ｃ及びショーケース側第２開閉弁３６ａ、３６ｂ、３６ｃそれぞれの開閉操作によってホットケースからクールケース、又は、クールケースからホットケースへの切り換えが可能であるので、ショーケース（本体）３を入れ換える必要が無くなる。
【００９９】
また、本実施の形態のよれば、第３制御手段として、室内ユニット２ａ、２ｂ、２ｃの負荷とショーケース３ａ、３ｂ、３ｃの負荷とに応じて、切換弁１５ａ、１５ｂ、１６ａ、１６ｂの開閉操作と室外膨張弁１８ａ、１８ｂの開度操作により、室外熱交換器１１を凝縮器若しくは蒸発器として機能させる、又は、室外熱交換器１１を機能させないようにする制御が行われるため、負荷に応じた運転が可能となる。例えば、運転モード（暖房運転や冷房運転、又はクールケースとしての運転やホットケースとしての運転）の切換や運転台数の変動、被温度調和室温度等の変動等による負荷の変動に対しても、負荷に応じた運転が可能である。
【０１００】
また、本実施の形態によれば、圧縮機１０がエンジンにより駆動されることにより、モータで駆動される場合に比べて電力の使用量を削減できる。
【０１０１】
また、本実施の形態によれば、ショーケース３ａ、３ｂ、３ｃのそれぞれを除霜運転させる場合、ショーケース側第１開閉弁３５ａ、３５ｂ、３５ｃ及びショーケース側第２開閉弁３６ａ、３６ｂ、３６ｃのそれぞれの開閉操作、具体的にはホットケースとして一定時間運転させることにより容易に除霜運転可能であり、冷凍システム５０を停止せずに各ショーケース３ａ、３ｂ、３ｃ毎に個別に除霜運転が可能である。
【０１０２】
尚、上記の実施の形態では、ショーケース３がクールケース若しくはホットケースとして運転される場合について説明したが、これに限るものではなく、ショーケース３が、クールケース専用であってもよいし、ホットケース専用であってもよい。ショーケース３、例えば、ショーケース３ａ、３ｂ、３ｃが、クールケース専用である場合は、ショーケース熱交換器３０ａ、３０ｂ、３０ｃは蒸発器（冷却器）として機能し、ショーケース側高圧ガス分岐管３２ａ、３２ｂ、３２ｃ及びショーケース側第１開閉弁３５ａ、３５ｂ、３５ｃは省略可能である。そして、第２制御手段としてのショーケース３ａ、３ｂ、３ｃをクールケース若しくはホットケースとして運転させる制御は省略可能である。これによっても同様の効果を奏する。
【０１０３】
同様に、ショーケース３ａ、３ｂ、３ｃが、ホットケース専用である場合は、ショーケース熱交換器３０ａ、３０ｂ、３０ｃは凝縮器（加熱器）として機能し、ショーケース側低圧ガス分岐管３３ａ、３３ｂ、３３ｃ及びショーケース側第２開閉弁３６ａ、３６ｂ、３６ｃは省略可能である。そして、第２制御手段としてのショーケース３ａ、３ｂ、３ｃをクールケース若しくはホットケースとして運転させる制御は省略可能である。これによっても同様の効果を奏する。
【０１０４】
以上、本発明を上記実施の形態に基づいて説明したが、本発明はこれに限定されるものではない。
【０１０５】
【発明の効果】
本発明によれば、圧縮機及び室外熱交換器を有する室外ユニットで室内熱交換器を有する室内ユニット及びショーケース熱交換器を有するショーケースを同一システムとして稼働できることから、空気調和装置とショーケースとを別システムとして稼働させる必要がないため、電力の使用量を削減でき、熱エネルギーを効率的に利用することができるので、省エネルギー化が図れる。
【図面の簡単な説明】
【図１】本発明に係る冷凍システムの一実施の形態を示す冷媒回路図である。
【符号の説明】
１  室外ユニット
２  室内ユニット
２ａ、２ｂ、２ｃ  室内ユニット
３  ショーケース
３ａ、３ｂ、３ｃ  ショーケース
４  ユニット間配管
５  高圧ガス管
６  低圧ガス管
７  液管
１０  圧縮機
１１  室外熱交換器
１１ａ、１１ｂ  室外熱交換器
１３  冷媒吐出管
１４  冷媒吸込管
１７  室外制御装置
２０ａ、２０ｂ、２０ｃ  室内熱交換器
２８ａ、２８ｂ、２８ｃ  室内制御装置
３０ａ、３０ｂ、３０ｃ  ショーケース熱交換器
３８ａ、３８ｂ、３８ｃ  ショーケース制御装置
５０  冷凍システム
【図１】
0004148676.tif 000002